(57)【要約】【課題】瞬間相反パルス波によって有効に殺菌し、振動によって結晶を沈殿させない電解槽の殺菌及びカルシウム付着の除去方法の提供。【解決手段】電解槽の殺菌及びカルシウム付着の除去方法は、電解槽の電解過程中、電解槽内で実際の電解作業より数倍以上高い瞬間相反パルス波をかける。このパルス波の電圧は細菌や病原菌を死滅させ、同時に振動により陰極板上の炭酸カルシウム（ＣａＣｏ３）もしくはその他の結合型カルシウム付着を除去し、結晶を沈殿させない。【選択図】図１
2007190495.tif 000002
【特許請求の範囲】
【請求項１】
電解槽の殺菌及びカルシウム付着の除去方法において、主に電解過程中、電解槽内で実際電解作業より高い電圧の瞬間パルス波をかけ、そのパルス波の電圧の大きさは、陰陽極板の隙間と水の菌含有量及び水の硬度に基づいて決めることを特徴とする電解槽の殺菌及びカルシウム付着の除去方法。
【請求項２】
請求項１記載の電解槽の殺菌及びカルシウム付着の除去方法において、前記瞬間パルス波電圧は、その極性と実際電解作業が相反することを特徴とする電解槽の殺菌及びカルシウム付着の除去方法。
【請求項３】
請求項１記載の電解槽の殺菌及びカルシウム付着の除去方法において、前記パルス波は、その振動数が実際の出水量によって電解槽の実際容量が最小振動数であることを特徴とする電解槽の殺菌及びカルシウム付着の除去方法。
【発明の詳細な説明】
【技術分野】
【０００１】
本発明は、電解槽の殺菌及びカルシウム付着の除去方法に関するものである。
【背景技術】
【０００２】
公知の伝統的な電解槽には、殺菌ができないこと、及び陰極板にカルシウムが付着しやすい問題が存在する。殺菌の問題は、一般に紫外線ライト管もしくは極小孔のフィルターを使用して殺菌もしくは菌を除去する。また、カルシウム付着問題は、反極性の電圧をかけてカルシウムを除去するか、もしくは食用のレモン酸もしくは酢酸で洗浄する。
【０００３】
しかしながら、紫外線ライト管の殺菌もしくは如何なるフィルター材でも実施にはコストがかかり、経済効率が低い。また反極性電圧をかけると、アルカリ水が流れる管の水が酸性水に変化してしまい、反対に酸性水が流れる管の水はアルカリ水に変化してしまう。このため水流交換バルブを追加することにより、元アルカリ水道をアルカリ水に維持しなければならない。ただ、上述の方法は、水流交換バルブを設置するのに、一定の空間を要し、且つコストも上がる。もしくは残留水逆酸で洗うことを採用すると、水が流れなくなるため、採用されない。また漬け込み方式を採用すると、同様に使用上不便であり、改善が求められる。
【発明の開示】
【発明が解決しようとする課題】
【０００４】
公知の電解水用電解槽に既存する問題を解決し、電解槽の殺菌及びカルシウム付着の除去方法を提供する。電解過程中、電解槽内に実際の電解作業より数倍以上高い瞬間相反極性パルス波をかけ、パルス波電圧によって細菌や病原菌を死滅させ、同時に振動が陰極板上の炭酸カルシウム（ＣａＣｏ３）もしくはその他結合型カルシウム付着を除去し、陰極板の結晶の沈殿を防止する。
【課題を解決するための手段】
【０００５】
請求項１の発明は、電解槽の殺菌及びカルシウム付着の除去方法において、主に電解過程中、電解槽内で実際電解作業より高い電圧の瞬間パルス波をかけ、そのパルス波の電圧の大きさは、陰陽極板の隙間と水の菌含有量及び水の硬度に基づいて決めることを特徴とする電解槽の殺菌及びカルシウム付着の除去方法としている。
請求項２の発明は、請求項１記載の電解槽の殺菌及びカルシウム付着の除去方法において、前記瞬間パルス波電圧は、その極性と実際電解作業が相反することを特徴とする電解槽の殺菌及びカルシウム付着の除去方法としている。
請求項３の発明は、請求項１記載の電解槽の殺菌及びカルシウム付着の除去方法において、前記パルス波は、その振動数が実際の出水量によって電解槽の実際容量が最小振動数であることを特徴とする電解槽の殺菌及びカルシウム付着の除去方法としている。
【発明の効果】
【０００６】
電解槽の殺菌及びカルシウム付着の除去方法は、電解槽の電解過程中、電解槽内で実際の電解作業より数倍以上高い瞬間相反パルス波をかける。このパルス波の電圧は細菌や病原菌を死滅させ、同時に振動により陰極板上の炭酸カルシウム（ＣａＣｏ３）もしくはその他の結合型カルシウム付着を除去し、結晶を沈殿させない。
【発明を実施するための最良の形態】
【０００７】
電解槽の殺菌及びカルシウム付着の除去方法として、図１に示すとおり、主に電解槽(ｅｌｅｃｔｒｏａｎａｌｙｓｉｓ ｃｉｒｃｕｉｔ)Ａに一般の電圧をかけ、同時に電子型快速スイッチ(ｅｌｅｃｔｒｏｎｉｃ  ｉｎｓｔａｎｔ  ｓｗｉｔｃｈ)Ｃを使用して電解回路(ｅｌｅｃｔｒｏａｎａｌｙｓｉｓ  ｃｉｒｃｕｉｔ)Ａ(図２に示す本発明の電解回路表示図参照)、もしくは高圧回路(ｈｉｇｈ  ｖｏｌｔａｇｅ  ｐｕｌｓｅ  ｃｉｒｃｕｉｔ)Ｂ（図３に示す本発明の高圧回路表示図参照）を選択する。電子型快速スイッチ(ｅｌｅｃｔｒｏｎｉｃ  ｉｎｓｔａｎｔ  ｓｗｉｔｃｈ)Ｃが電解回路Ａを選択した場合、電解回路Ａはオンの状態になり、また高圧回路Ｂはオフの状態になる。反対に電子型快速スイッチＣが高圧回路Ｂを選択した場合、高圧回路Ｂはオンの状態になり、電解回路Ａはオフの状態になる。
【０００８】
上述の各装置が組み合わさった本発明によって、電解槽の殺菌及びカルシウム付着の除去が行われる。実際の操作として、
図４，５に示すとおり、電解の過程で、定時に瞬間的に電子型快速スイッチＣが動き、電解槽１０内で、実際の電解作業電圧数より倍以上高いパルス波をかけ、パルス波をかけることによって、細菌や病原菌を死滅させる。そのうち、このパルス波電圧の大きさと陰陽極板の隙間と水中に含まれる菌含有量及び硬度は正比例し、このパルス波の振動回数は実際の出水量から電解槽の実際容量を除いたものを最少振動数とする。その公式は、
パルス波振動数≧実際出水量/電解槽実際容量とする。
例として、実際出水量を毎分２０００ｃｃとする。電解槽実際容量を５０ｃｃとする。パルス波最小振動数は、２０００/５０＝４０回/分。
毎分少なくとも４０回のパルス波により、水中の細菌は少なくとも一回以上の電気ショックを受ける（以上実際の数は、実際の出水量と電解槽実際容量に基づく）。
【０００９】
上述の本発明に依って提供された電解槽の殺菌及びカルシウム付着の除去方法は、そのうち、瞬間パルス波電圧がカルシウム付着を除去する時、その極性と実際の電解作業は相反し、図６に示すのは本発明の電解回路とパルス波高圧回路の切換表示図である。電解過程中、その電子型快速スイッチＣはＣＰＵ及び電界効果トランジスタ(Ｆｉｅｌｄ  ｅｆｆｅｃｔ  ｔｒａｎｓｉｓｔｏｒ)制御回路によって、スピーディにスイッチを切り換え、これにより、瞬間切換及び無火花を達成し、有効に回路寿命を延ばす。
【００１０】
図７に示すのは、本発明の電解回路で電解する時の陰陽イオン分布状態図である。また図８に示すのは、本発明の瞬間パルス波高圧が発生する時の陰陽イオン分布状態図である。電解槽１０内で、実際の電解作業より数倍以上高い電圧Ｖaをかけた瞬間の相反極性パルス波電圧Ｖbは、パルス波電圧Ｖbによって細菌と病原菌が死滅する以外、その振動によって陰極板上に付着した炭酸カルシウム（ＣａＣｏ3）もしくはその他の結合型カルシウム付着を除去し、すでに形成している炭酸カルシウム（ＣａＣｏ３）もしくはその他の結合型カルシウム付着をパルス波電圧で陰極板から振り落とし、流動水で電解槽１０が流れる。
【００１１】
上述のパルス波の電圧Ｖbは、実際の電解作業電圧Ｖaより数倍以上大きい。しかし、瞬間パルス波のバンド幅は数ミリ秒（１０-3秒）であるため、発生するパルス波は平均電流Ｉbが実際のところ、電解回路Ｉaよりはるかに小さい（Ｉb＜＜Ｉa）ので、電解回路の正常電解に影響を与えない。また同時に発生した瞬間振動力量は、陽イオンを陰極板から剥がすだけで陰、陽イオン層の混合現象が発生するほどではない。
【図面の簡単な説明】
【００１２】
【図１】本発明の回路表示図である。
【図２】本発明の電解回路表示図である。
【図３】本発明のパルス波高圧回路表示図である。
【図４】本発明が陽極の反対パルス波高圧に相対する表示図である。
【図５】本発明が陰極の反対パルス波高圧に相対する表示図である。
【図６】本発明の電解回路とパルス波高圧回路の切換表示図である。
【図７】本発明の電解回路を電解する時の陰陽イオン分布状態図である。
【図８】本発明の瞬間パルス波高圧が発生する時の陰陽イオン分布状態図である。
【符号の説明】
【００１３】
１０  電解槽  (ｅｌｅｃｔｒｏｄｅ  ｃｈａｍｂｅｒ)
Ａ    電解回路  (ｅｌｅｃｔｒｏａｎａｌｙｓｉｓ  ｃｉｒｃｕｉｔ)
Ｂ    パルス波高圧回路  (ｈｉｇｈ  ｖｏｌｔａｇｅ  ｐｕｌｓｅ  ｃｉｒｃｕｉｔ)
Ｃ    電子型快速スイッチ  (ｅｌｅｃｔｒｏｎｉｃ  ｉｎｓｔａｎｔ  ｓｗｉｔｃｈ)
【図１】
2007190495.tif 000003
【図２】
2007190495.tif 000004
【図３】
2007190495.tif 000005
【図４】
2007190495.tif 000006
【図５】
2007190495.tif 000007
【図６】
2007190495.tif 000008
【図７】
2007190495.tif 000009
【図８】
2007190495.tif 000010